(57)【要約】      （修正有）【課題】良好な連接性能があり、配管の漏洩や連接外れを効果的に防げる強化配管継手を提供する。【解決手段】強化配管継手１００は、配管親継手部材１と、配管子継手部材２と、配管親継手部材１と配管子継手部材２との間に連接される一つ以上の強化パイプソケット３と、配管親継手部材１と強化パイプソケット３との間及び強化パイプソケット３と配管子継手部材２との間に嵌め込まれる二つ以上のパイプソケット部材４とが含まれる。それぞれのパイプソケット部材４の収束リング４１及びボールリングセット４１１がパイプ材に対して収束固定を形成させて、良好な連接性能が得られる。【選択図】図３
0003232943.tif 000002
【実用新案登録請求の範囲】
【請求項１】
強化配管継手であって、
内周面に内径が後方へ徐々に拡大する締り斜面部が形成される拡径パイプソケット、及び前記拡径パイプソケットの後端から後方へ伸ばされ内周面に内ネジ部が形成される外輪パイプソケット、が後端から後方へ順に伸ばされる配管親継手部材と、
内周面に内径が後方へ徐々に拡大する収束斜面部が形成され外周面に外ネジ部が形成される内輪パイプソケットが前端から前方へ伸ばされる配管子継手部材と、
内周面に内径が後方へ徐々に拡大する収束斜面が形成され外周面に外ネジ構造が形成される内輪パイプ部が前端から前方へ伸ばされ、内周面に内径が後方へ徐々に拡大する締り斜面が形成される拡径パイプソケット部と前記拡径パイプソケット部の後端から後方へ伸ばされ内周面に内ネジ構造が形成される外輪パイプ部とが後端から順に伸ばされて、前記配管親継手部材と前記配管子継手部材との間に連接される、一つ以上の強化パイプソケットと
前記収束斜面部及び前記収束斜面に対応する外径寸法を有し内周面から内側へ突出する複数のボールによって形成されるボールリングセットが設置される収束リング、及び前記収束リングの軸方向の前側に配置され前記締り斜面部及び前記締り斜面に対応する先端構造が備える締めリングが含まれ、前記配管親継手部材と前記強化パイプソケットとの間及び前記強化パイプソケットと前記配管子継手部材との間に嵌め込まれる、二つ以上のパイプソケット部材と、が含まれ、
前記配管親継手部材と前記強化パイプソケットとの間に、前記内ネジ部が前記外ネジ構造に螺合されることにより、前記配管親継手部材の前記外輪パイプソケットが前記強化パイプソケットの前記内輪パイプソケットの外に係合され、前記パイプソケット部材の前記収束リングが前記内輪パイプ部の中に入り前記収束斜面に収束され、前記パイプソケット部材の前記締めリングが前記外輪パイプ部の中に入りその前端で前記締り斜面部を締める、
前記強化パイプソケットと前記配管子継手部材との間に、前記内ネジ部が前記外ネジ部に螺合されことにより、前記強化パイプソケットの前記外輪パイプ部が前記配管子継手部材の前記内輪パイプ部の外に係合され、前記パイプソケット部材の前記収束リングが前記内輪パイプ部の中に入り前記収束斜面部に収束され、前記パイプソケット部材の前記締めリングが前記外輪パイプ部の中に入りその前端で前記締り斜面を締める、
パイプ材でそれぞれの前記パイプソケット部材の前記収束リング及び前記締めリングを伸ばして貫設されるように前記強化配管継手の中に挿入される場合、前記配管親継手部材、前記強化パイプソケット及び前記配管子継手部材との間の係合により、それぞれの前記パイプソケット部材の前記収束リング及び前記ボールリングセットが前記パイプ材に対して収束固定を形成させることを特徴とする強化配管継手。
【請求項２】
前記強化パイプソケットが複数であり、複数の前記強化パイプソケットが前後に順に連接され、前記パイプソケット部材が複数であり、それぞれ前記配管親継手部材と前記強化パイプソケットとの間、前記強化パイプソケットと前記配管子継手部材との間、及び隣接する二つの前記強化パイプソケットの間に嵌められ、
隣接する二つの前記強化パイプソケットの間に、前記内ネジ構造が前記外ネジ構造に螺合されることにより、前の前記強化パイプソケットの前記外輪パイプ部が後の前記強化パイプソケットの前記内輪パイプ部の外周に固定され、前記パイプソケット部材の前記収束リングが前記内輪パイプ部の中に入り前記収束斜面で収束され、前記パイプソケット部材の前記締めリングが前記外輪パイプ部の中に入りその前端で前記締り斜面で締める、それぞれの前記パイプソケット部材によって前記パイブ材に対して多重の収束固定を形成されることを特徴とする請求項１に記載する強化配管継手。
【請求項３】
前記パイプソケット部材には、前記締りリングと前記収束リングとの間に軸方向に設置されるプラスチックリングが含まれ、前記プラスチックリングの前端が前記締りリングの後端に当接され、前記プラスチックリングの後端が前記収束リングの前端に当接されることを特徴とする請求項１または２に記載する強化配管継手。
【請求項４】
前記収束リングの外周面に外側に突出する環状凸リブが形成されて、前記環状凸リブが前記内輪パイブ部の前記収束斜面または前記内輪パイブの前記収束斜面部に当接することにより、前記パイプ材に対する収束作用を強化することを特徴とする請求項１または２に記載する強化配管継手。
【請求項５】
前記ボールリングの複数の前記ボールが前記収束リングの外周面から外側に突出して、前記内輪パイブ部の前記収束斜面または前記内輪パイブの前記収束斜面部に直接当接することにより、前記パイプ材に対する収束作用を強化することを特徴とする請求項１または２に記載する強化配管継手。
【請求項６】
前記ボールリングの複数の前記ボールが前記収束リングの前記環状凸リブの外周面から外側に突出して、前記内輪パイブ部の前記収束斜面または前記内輪パイブの前記収束斜面部に直接当接することにより、前記パイプ材に対する収束作用を強化することを特徴とする請求項４に記載する強化配管継手。
【請求項７】
前記配管親継手部材が両方向配管継手またはマルチ方向配管継手であり、前記配管親継手部材の後端以外のもう一端は別のパイプ材との連接に用いられることを特徴とする請求項１または２に記載する強化配管継手。
【請求項８】
前記配管親継手部材の前記もう一端には、順にもう一つの拡径パイプソケット及びもう一つの外輪パイプソケットが伸ばされ、線路コネクタまたはもう一つの強化配管継手との連接に用いられることを特徴とする請求項７に記載する強化配管継手。
【請求項９】
前記配管親継手部材または前記配管子継手部材がバルブ装置に設置されることを特徴とする請求項１または２に記載する強化配管継手。
【請求項１０】
前記配管子継手部材が両方向配管継手またはマルチ方向配管継手であり、前記配管子継手部材の前端以外のもう一端は別のパイプ材との連接に用いられることを特徴とする請求項１または２に記載する強化配管継手。
【考案の詳細な説明】
【技術分野】
【０００１】
本考案は配管継手に関するものであって、特には強化配管継手に関する。
【背景技術】
【０００２】
流体輸送管は主に水道水など流体の輸送に用いられる管材であり、輸送の距離や地形及び始点と目的地の装置に応じて、管材同士または管材と装置を連接することがあり、連接するときには配管継手を利用することが一般的である。
【０００３】
配管継手の連接機能は極めて重要であり、連接性能が悪いと漏れ止め効果が劣り、連接部に漏洩を引き起こすことがある。例えば振動や熱膨張などの要素に影響される場合、配管が伸びたり縮んだりして、連接部で隙間や漏洩、果に配管の連接外れを引き起こす可能性があり、よって配管継手を改良する必要がある。
【考案の概要】
【０００４】
故に、本考案の目的は良好な連接性能があり、配管の漏洩や連接外れを効果的に防げる強化配管継手を提供する。
【０００５】
本考案が従来技術の問題を解決するために、内周面に内径が後方へ徐々に拡大する締り斜面部が形成される拡径パイプソケット、及び前記拡径パイプソケットの後端から後方へ伸ばされ内周面に内ネジ部が形成される外輪パイプソケット、が後端から後方へ順に伸ばされる配管親継手部材と、内周面に内径が後方へ徐々に拡大する収束斜面部が形成され外周面に外ネジ部が形成される内輪パイプソケットが前端から前方へ伸ばされる配管子継手部材と、内周面に内径が後方へ徐々に拡大する収束斜面が形成され外周面に外ネジ構造が形成される内輪パイプ部が前端から前方へ伸ばされ、内周面に内径が後方へ徐々に拡大する締り斜面が形成される拡径パイプソケット部と前記拡径パイプソケット部の後端から後方へ伸ばされ内周面に内ネジ構造が形成される外輪パイプ部とが後端から順に伸ばされて、前記配管親継手部材と前記配管子継手部材との間に連接される、一つ以上の強化パイプソケットと、前記収束斜面部及び前記収束斜面に対応する外径寸法を有し内周面から内側へ突出する複数のボールによって形成されるボールリングセットが設置される収束リング、及び前記収束リングの軸方向の前側に配置され前記締り斜面部及び前記締り斜面に対応する先端構造が備える締めリングが含まれ、前記配管親継手部材と前記強化パイプソケットとの間及び前記強化パイプソケットと前記配管子継手部材との間に嵌め込まれる、二つ以上のパイプソケット部材と、が含まれ、前記配管親継手部材と前記強化パイプソケットとの間に、前記内ネジ部が前記外ネジ構造に螺合されることにより、前記配管親継手部材の前記外輪パイプソケットが前記強化パイプソケットの前記内輪パイプソケットの外に係合され、前記パイプソケット部材の前記収束リングが前記内輪パイプ部の中に入り前記収束斜面に収束され、前記パイプソケット部材の前記締めリングが前記外輪パイプ部の中に入りその前端で前記締り斜面部を締める、前記強化パイプソケットと前記配管子継手部材との間に、前記内ネジ部が前記外ネジ部に螺合されことにより、前記強化パイプソケットの前記外輪パイプ部が前記配管子継手部材の前記内輪パイプ部の外に係合され、前記パイプソケット部材の前記収束リングが前記内輪パイプ部の中に入り前記収束斜面部に収束され、前記パイプソケット部材の前記締めリングが前記外輪パイプ部の中に入りその前端で前記締り斜面を締める、パイプ材でそれぞれの前記パイプソケット部材の前記収束リング及び前記締めリングを伸ばして貫設されるように前記強化配管継手の中に挿入される場合、前記配管親継手部材、前記強化パイプソケット及び前記配管子継手部材との間の係合により、それぞれの前記パイプソケット部材の前記収束リング及び前記ボールリングセットが前記パイプ材に対して収束固定を形成させることを特徴とする強化配管継手を提供する。
【０００６】
本考案の一つの実施形態では前記強化パイプソケットが複数であり、複数の前記強化パイプソケットが前後に順に連接され、前記パイプソケット部材が複数であり、それぞれ前記配管親継手部材と前記強化パイプソケットとの間、前記強化パイプソケットと前記配管子継手部材との間、及び隣接する二つの前記強化パイプソケットの間に嵌められ、隣接する二つの前記強化パイプソケットの間に、前記内ネジ構造が前記外ネジ構造に螺合されることにより、前の前記強化パイプソケットの前記外輪パイプ部が後の前記強化パイプソケットの前記内輪パイプ部の外周に固定され、前記パイプソケット部材の前記収束リングが前記内輪パイプ部の中に入り前記収束斜面で収束され、前記パイプソケット部材の前記締めリングが前記外輪パイプ部の中に入りその前端で前記締り斜面で締める、それぞれの前記パイプソケット部材によって前記パイブ材に対して多重の収束固定を形成されることを特徴とする強化配管継手を提供する
【０００７】
本考案の一つの実施形態では前記パイプソケット部材には、前記締りリングと前記収束リングとの間に軸方向に設置されるプラスチックリングが含まれ、前記プラスチックリングの前端が前記締りリングの後端に当接され、前記プラスチックリングの後端が前記収束リングの前端に当接されることを特徴とする強化配管継手を提供する。
【０００８】
本考案の一つの実施形態では前記収束リングの外周面に外側に突出する環状凸リブが形成されて、前記環状凸リブが前記内輪パイブ部の前記収束斜面または前記内輪パイブの前記収束斜面部に当接することにより、前記パイプ材に対する収束作用を強化することを特徴とする強化配管継手を提供する。
【０００９】
本考案の一つの実施形態では前記ボールリングの複数の前記ボールが前記収束リングの外周面から外側に突出して、前記内輪パイブ部の前記収束斜面または前記内輪パイブの前記収束斜面部に直接当接することにより、前記パイプ材に対する収束作用を強化することを特徴とする強化配管継手を提供する。
【００１０】
本考案の一つの実施形態では前記ボールリングの複数の前記ボールが前記収束リングの前記環状凸リブの外周面から外側に突出して、前記内輪パイブ部の前記収束斜面または前記内輪パイブの前記収束斜面部に直接当接することにより、前記パイプ材に対する収束作用を強化することを特徴とする強化配管継手を提供する。
【００１１】
本考案の一つの実施形態では前記配管親継手部材が両方向配管継手またはマルチ方向配管継手であり、前記配管親継手部材の後端以外のもう一端は別のパイプ材との連接に用いられることを特徴とする強化配管継手を提供する。
【００１２】
本考案の一つの実施形態では前記配管親継手部材の前記もう一端には、順にもう一つの拡径パイプソケット及びもう一つの外輪パイプソケットが伸ばされ、線路コネクタまたはもう一つの強化配管継手との連接に用いられることを特徴とする強化配管継手を提供する。
【００１３】
本考案の一つの実施形態では前記配管親継手部材または前記配管子継手部材がバルブ装置に設置されることを特徴とする強化配管継手を提供する。
【００１４】
本考案の一つの実施形態では前記配管子継手部材が両方向配管継手またはマルチ方向配管継手であり、前記配管子継手部材の前端以外のもう一端は別のパイプ材との連接に用いられることを特徴とする強化配管継手を提供する。
【考案の効果】
【００１５】
本考案の技術手段により、本考案の強化配管継手が良好な連接性能を持ち  、引張強度を効果に上げることができ、配管本体を伸縮可能にする同時に漏洩防止能力及び連接外し防止能力を発揮する。これにより、強度の要求が高い大径配管部材（例えば７５ｍｍ、１００ｍｍ）の連接において、本考案の強化配管継手は必要、さらには基準を大いに超える連接性能を発揮できる。他にも、本考案の強化配管継手は良好な組み合い利便性を提供し、現場の組み立て工程が容易になり、特に狭い空間においてのパイプ材の取り付け処理には有効的。
【図面の簡単な説明】
【００１６】
【図１】本考案の一つの実施形態の強化配管継手を示す立体図である。
【図２】本考案の実施形態の強化配管継手を示す分解図である。
【図３】本考案の実施形態の強化配管継手を示す断面図である。
【図４】本考案のもう一つの実施形態の強化配管継手を示す断面図である。
【図５】本考案の実施形態の強化配管継手を配管部材同士の連接に用いられる場合を示す図である。
【図６】本考案の実施形態の強化配管継手を配管部材同士の連接に用いられる場合を示すもう一つの図である。
【図７】本考案の実施形態の強化配管継手を配管とバルブとの連接に用いられる場合を示す図である。
【図８】本考案の実施形態の強化配管継手を配管とバルブとの連接に用いられる場合を示すもう一つの図である。
【考案を実施するための形態】
【００１７】
以下は図１〜図８に基いて、本考案の実施形態について説明する。該当説明は本考案の実施形態の一つの例示にすぎず、本考案の実施形態を限定するものではない。
【００１８】
図１〜図３が示すように、本考案の一つの実施形態の強化配管継手１００には配管親継手部材１、配管子継手部材２、一つ以上の強化パイプソケット３及び二つ以上のパイプソケット部材４が含まれる。
【００１９】
図１〜図３が示すように、前記配管親継手１が内周面に内径が後方へ徐々に拡大する締り斜面部１１１が形成される拡径パイプソケット１１、及び前記拡径パイプソケット１１の後端から後方へ伸ばされ内周面に内ネジ部１２１が形成される外輪パイプソケット１２、が後端から後方へ順に伸ばされる。
【００２０】
図１〜図３が示すように、前記配管子継手２が内周面に内径が後方へ徐々に拡大する収束斜面部２１２が形成され外周面に外ネジ部２１１が形成される内輪パイプソケット２１が前端から前方へ伸ばされる。
【００２１】
図１〜図３が示すように、一つ以上の前記強化パイプソケット３が内周面に内径が後方へ徐々に拡大する収束斜面３１２が形成され外周面に外ネジ構造３１１が形成される内輪パイプ部３１が前端から前方へ伸ばされ、内周面に内径が後方へ徐々に拡大する締り斜面３２１が形成される拡径パイプソケット部３２と前記拡径パイプソケット部３２の後端から後方へ伸ばされ内周面に内ネジ構造３３１が形成される外輪パイプ部３３とが後端から順に伸ばされて、前記配管親継手部材１と前記配管子継手部材２との間に連接される
【００２２】
図１〜図３が示すように、二つ以上の前記パイプソケット部材４が前記収束斜面部２１２及び前記収束斜面３１２に対応する外径寸法を有し内周面から内側へ突出する複数のボールによって形成されるボールリングセット４１１が設置される収束リング４１、及び前記収束リング４１の軸方向の前側に配置され前記締り斜面部１１１及び前記締り斜面３２１に対応する先端構造が備える締めリング４２が含まれ、前記配管親継手部材１と前記強化パイプソケット３との間及び前記強化パイプソケット３と前記配管子継手部材２との間に嵌め込まれる。
【００２３】
図１〜３が示すように、前記強化配管継手１００において、前記配管親継手部材１と前記強化パイプソケット３との間に、前記内ネジ部１２１が前記外ネジ構造３１１に螺合されることにより、前記配管親継手部材１の前記外輪パイプソケット１２が前記強化パイプソケット３の前記内輪パイプソケット３１の外に係合され、前記パイプソケット部材４の前記収束リング４１が前記内輪パイプ部３１の中に入り前記収束斜面３１２に収束され、前記パイプソケット部材４の前記締めリング４２が前記外輪パイプ部１２の中に入りその前端で前記締り斜面部１１１を締める。また、前記強化パイプソケット３と前記配管子継手部材２との間に、前記内ネジ部３３１が前記外ネジ部２１１に螺合されことにより、前記強化パイプソケット３の前記外輪パイプ部３３が前記配管子継手部材２の前記内輪パイプ部２１の外に係合され、前記パイプソケット部材４の前記収束リング４１が前記内輪パイプ部２１の中に入り前記収束斜面部２１２に収束され、前記パイプソケット部材４の前記締めリング４２が前記外輪パイプ部３３の中に入りその前端で前記締り斜面３２１を締める。
【００２４】
図１〜図３が示すように、前述の構成により、パイプ材Ｐでそれぞれの前記パイプソケット部材４の前記収束リング４１及び前記締めリング４２を伸ばして貫設されるように前記強化配管継手１００の中に挿入される場合、前記配管親継手部材１、前記強化パイプソケット３及び前記配管子継手部材２との間の係合により、それぞれの前記パイプソケット部材４の前記収束リング４１及び前記ボールリングセット４１１が前記パイプ材Ｐに対して収束固定を形成させる。これにより、前記強化配管継手１００と前記パイプ材Ｐの間に前記締めリング４２によって極めて良好な密封固定関係を取得して前記収束リング４１及び前記ボールリングセット４１１の収束作用によって極めて良好な連接安定性を得て、内部からの液体漏れを有効に防げ、前記強化配管継手１００と前記パイプ材Ｐとの接合部からの漏洩や外れを有効に防げる。
【００２５】
図４が示すように、本考案のもう一つの実施形態の強化配管継手１００ａが、前記強化パイプソケット３が複数であり、複数の前記強化パイプソケット３が前後に順に連接され、前記パイプソケット部材４が複数であり、それぞれ前記配管親継手部材１と前記強化パイプソケット３との間、前記強化パイプソケット３と前記配管子継手部材２との間、及び隣接する二つの前記強化パイプソケット３の間に嵌められ、隣接する二つの前記強化パイプソケット３の間に、前記内ネジ構造３３１が前記外ネジ構造３１１に螺合されることにより、前の前記強化パイプソケット３の前記外輪パイプ部３３が後の前記強化パイプソケット３の前記内輪パイプ部３１の外周に固定され、前記パイプソケット部材４の前記収束リング４１が前記内輪パイプ部４１の中に入り前記収束斜面３１２で収束され、前記パイプソケット部材４の前記締めリング４２が前記外輪パイプ部３３の中に入りその前端で前記締り斜面３２１で締める、それぞれの前記パイプソケット部材４によって前記パイブ材Ｐに対して多重の収束固定を形成される。本実施形態の前記強化配管継手１００ａにおいて、前記強化パイプソケット３の数は複数（例えば「Ｎ」個）であり、前記パイプソケット部材４の数は前記強化パイプソケット４の数に対応する（即ち「Ｎ＋１」個）。前記強化パイプソケット３の数を増やすことにより、前記強化配管継手１００ａと前記パイプ材Ｐの間の収束固定効果が高められて、より高い引張強度を得ることにより、連接部からの漏洩及び外しを効果的に防げる。
【００２６】
図１〜図４が示すように、本考案の実施形態の強化配管継手１００、１００ａによれば、前記パイプソケット部材４には、前記締りリング４２と前記収束リング４１との間に軸方向に設置されるプラスチックリング４３が含まれ、前記プラスチックリング４３の前端が前記締りリング４２の後端に当接され、前記プラスチックリング４３の後端が前記収束リング４１の前端に当接される。
【００２７】
図１〜図４が示すように、本考案の実施形態の強化配管継手１００、１００ａによれば、前記収束リング４１の外周面に外側に突出する環状凸リブ４１２が形成されて、前記環状凸リブ４１２が前記内輪パイブ部３１の前記収束斜面３１２または前記配管子継手部材２の前記内輪パイブ２１の前記収束斜面部２１２に当接することにより、前記パイプ材Ｐに対する収束作用を強化する
【００２８】
図１〜図４が示すように、本考案の実施形態の強化配管継手１００、１００ａによれば、前記ボールリング４１１の複数の前記ボールが前記収束リング４１の外周面から外側に突出して、前記強化パイプソケット３の前記内輪パイブ部４１の前記収束斜面３１２または前記配管子継手部材２前記内輪パイブ２１の前記収束斜面部２１２に直接当接することにより、前記パイプ材Ｐに対する収束作用を強化する
【００２９】
図５が示すように、本考案の実施形態の強化配管継手１００によれば、前記配管親継手部材１が両方向配管継手またはマルチ方向配管継手であり（本実施形態では、前記配管親継手１は両方向配管継手である）、前記配管親継手部材１の後端以外のもう一端は別のパイプ材Ｐとの連接に用いられる。もちろん、本考案はこれに限らず、図６が示すように、本考案のもう一つの実施形態では、前記配管子継手部材２が両方向配管継手またはマルチ方向配管継手であり、前記配管子継手部材２の後端以外のもう一端は別のパイプ材Ｐとの連接に用いられる。
【００３０】
図５が示すように、本考案の実施形態の強化配管継手１００、１００ａによれば、前記配管親継手１部材の前記もう一端には、順にもう一つの拡径パイプソケット１１及びもう一つの外輪パイプソケット１２が伸ばされ、線路コネクタまたはもう一つの強化配管継手との連接に用いられる図５が示すように、本考案の実施形態の強化配管継手１００によれば、
【００３１】
図７が示すように、本考案の実施形態の強化配管継手１００、図５が示すように、本考案の実施形態の強化配管継手１００、１００ａによれば、前記配管親継手部材１がバルブ装置Ｖに設置される。
【００３２】
図８が示すように、本考案の実施形態の強化配管継手１００、図５が示すように、本考案の実施形態の強化配管継手１００、１００ａによれば、前記配管親継手部材２がバルブ装置Ｖに設置される。
【００３３】
図５〜８が示すように、本考案の前記強化配管継手１００はパイプ材Ｐ同士の連接だけに用いられるではなく、パイプ材Ｐと装置（バルブ装置∨）との連接に用いられることも可能。
【００３４】
前述の構成により、本考案の強化配管継手１００、１００ａが良好な連接性能を持ち  、引張強度を効果に上げることができ、配管本体を伸縮可能にする同時に漏洩防止能力及び連接外し防止能力を発揮する。これにより、強度の要求が高い大径配管部材（例えば７５ｍｍ、１００ｍｍ）の連接において、本考案の強化配管継手１００、１００ａは必要、さらには基準を大いに超える連接性能を発揮できる。他にも、本考案の強化配管継手１００、１００ａは良好な組み合い利便性を提供し、現場の組み立て工程が容易になり、特に狭い空間においてのパイプ材Ｐの取り付け処理には有効的。
【００３５】
本考案の好適な実施形態を前述の通り開示したが、これらは決して本考案を限定するものではない。本考案の主旨と領域を逸脱しない範囲内で各種の変更や修正を加えることができる。従って、本考案の特許請求の範囲は、このような変更や修正を含めて広く解釈されるべきである。
【符号の説明】
【００３６】
１００  強化配管継手
１      配管親継手部材
１１    拡径パイプソケット
１１１  締り斜面部
１２    外輪パイプソケット
１２１  内ネジ部
２      配管子継手
２１    内輪パイプソケット
２１１  外ネジ部
２１２  収束斜面部
３      強化パイプソケット
３１    内輪パイプ部
３１１  外ネジ構造
３１２  収束斜面
３２    拡径パイプソケット部
３２１  締り斜面
３３    外輪パイプ部
３３１  内ネジ構造
４      パイプソケット部材
４１    収束リング
４１１  ボールリングセット
４１２  環状凸リブ
４２    締めリング
４３    プラスチックリング
Ｐ      パイプ材
Ｖ      バルブ装置
【図１】
0003232943.tif 000003
【図２】
0003232943.tif 000004
【図３】
0003232943.tif 000005
【図４】
0003232943.tif 000006
【図５】
0003232943.tif 000007
【図６】
0003232943.tif 000008
【図７】
0003232943.tif 000009
【図８】
0003232943.tif 000010
【手続補正書】
【提出日】令和3年5月19日(2021.5.19)
【手続補正１】
【補正対象書類名】明細書
【補正対象項目名】０００５
【補正方法】変更
【補正の内容】
【０００５】
本考案が従来技術の問題を解決するために、内周面に内径が後方へ徐々に拡大する締り斜面部が形成される拡径パイプソケット、及び前記拡径パイプソケットの後端から後方へ伸ばされ内周面に内ネジ部が形成される外輪パイプソケット、が後端から後方へ順に伸ばされる配管親継手部材と、内周面に内径が後方へ徐々に拡大する収束斜面部が形成され外周面に外ネジ部が形成される内輪パイプソケットが前端から前方へ伸ばされる配管子継手部材と、内周面に内径が後方へ徐々に拡大する収束斜面が形成され外周面に外ネジ構造が形成される内輪パイプ部が前端から前方へ伸ばされ、内周面に内径が後方へ徐々に拡大する締り斜面が形成される拡径パイプソケット部と前記拡径パイプソケット部の後端から後方へ伸ばされ内周面に内ネジ構造が形成される外輪パイプ部とが後端から順に伸ばされて、前記配管親継手部材と前記配管子継手部材との間に連接される、一つ以上の強化パイプソケットと、前記収束斜面部及び前記収束斜面に対応する外径寸法を有し内周面から内側へ突出する複数のボールによって形成されるボールリングセットが設置される収束リング、及び前記収束リングの軸方向の前側に配置され前記締り斜面部及び前記締り斜面に対応する先端構造が備える締めリングが含まれ、前記配管親継手部材と前記強化パイプソケットとの間及び前記強化パイプソケットと前記配管子継手部材との間に嵌め込まれる、二つ以上のパイプソケット部材と、が含まれ、前記配管親継手部材と前記強化パイプソケットとの間に、前記内ネジ部が前記外ネジ構造に螺合されることにより、前記配管親継手部材の前記外輪パイプソケットが前記強化パイプソケットの前記内輪パイプ部の外に係合され、前記パイプソケット部材の前記収束リングが前記内輪パイプ部の中に入り前記収束斜面に収束され、前記パイプソケット部材の前記締めリングが前記外輪パイプソケットの中に入りその前端で前記締り斜面部を締める、前記強化パイプソケットと前記配管子継手部材との間に、前記内ネジ部が前記外ネジ部に螺合されことにより、前記強化パイプソケットの前記外輪パイプ部が前記配管子継手部材の前記内輪パイプソケットの外に係合され、前記パイプソケット部材の前記収束リングが前記内輪パイプソケットの中に入り前記収束斜面部に収束され、前記パイプソケット部材の前記締めリングが前記外輪パイプ部の中に入りその前端で前記締り斜面を締める、パイプ材がそれぞれの前記パイプソケット部材の前記収束リング及び前記締めリングを貫通するように伸ばされて前記強化配管継手の中に挿入される場合、前記配管親継手部材、前記強化パイプソケット及び前記配管子継手部材との間の係合により、それぞれの前記パイプソケット部材の前記収束リング及び前記ボールリングセットが前記パイプ材に対して収束固定を形成させることを特徴とする強化配管継手を提供する。
【手続補正２】
【補正対象書類名】明細書
【補正対象項目名】０００８
【補正方法】変更
【補正の内容】
【０００８】
本考案の一つの実施形態では前記収束リングの外周面に外側に突出する環状凸リブが形成されて、前記環状凸リブが前記内輪パイブ部の前記収束斜面または前記内輪パイプソケットの前記収束斜面部に当接することにより、前記パイプ材に対する収束作用を強化することを特徴とする強化配管継手を提供する。
【手続補正３】
【補正対象書類名】明細書
【補正対象項目名】０００９
【補正方法】変更
【補正の内容】
【０００９】
本考案の一つの実施形態では前記ボールリングセットの複数の前記ボールが前記収束リングの外周面から外側に突出して、前記内輪パイブ部の前記収束斜面または前記内輪パイプソケットの前記収束斜面部に直接当接することにより、前記パイプ材に対する収束作用を強化することを特徴とする強化配管継手を提供する。
【手続補正４】
【補正対象書類名】明細書
【補正対象項目名】００１０
【補正方法】変更
【補正の内容】
【００１０】
本考案の一つの実施形態では前記ボールリングセットの複数の前記ボールが前記収束リングの前記環状凸リブの外周面から外側に突出して、前記内輪パイブ部の前記収束斜面または前記内輪パイプソケットの前記収束斜面部に直接当接することにより、前記パイプ材に対する収束作用を強化することを特徴とする強化配管継手を提供する。
【手続補正５】
【補正対象書類名】明細書
【補正対象項目名】００１２
【補正方法】変更
【補正の内容】
【００１２】
本考案の一つの実施形態では前記配管親継手部材の前記もう一端には、順にもう一つの拡径パイプソケット及びもう一つの外輪パイプソケットが伸ばされ、パイプコネクタまたはもう一つの強化配管継手との連接に用いられることを特徴とする強化配管継手を提供する。
【手続補正６】
【補正対象書類名】明細書
【補正対象項目名】００３０
【補正方法】変更
【補正の内容】
【００３０】
図５が示すように、本考案の実施形態の強化配管継手１００、１００ａによれば、前記配管親継手１部材の前記もう一端には、順にもう一つの拡径パイプソケット１１及びもう一つの外輪パイプソケット１２が伸ばされ、パイプコネクタまたはもう一つの強化配管継手との連接に用いられる。
【手続補正７】
【補正対象書類名】実用新案登録請求の範囲
【補正対象項目名】請求項１
【補正方法】変更
【補正の内容】
【請求項１】
強化配管継手であって、
内周面に内径が後方へ徐々に拡大する締り斜面部が形成される拡径パイプソケット、及び前記拡径パイプソケットの後端から後方へ伸ばされ内周面に内ネジ部が形成される外輪パイプソケット、が後端から後方へ順に伸ばされる配管親継手部材と、
内周面に内径が後方へ徐々に拡大する収束斜面部が形成され外周面に外ネジ部が形成される内輪パイプソケットが前端から前方へ伸ばされる配管子継手部材と、
内周面に内径が後方へ徐々に拡大する収束斜面が形成され外周面に外ネジ構造が形成される内輪パイプ部が前端から前方へ伸ばされ、内周面に内径が後方へ徐々に拡大する締り斜面が形成される拡径パイプソケット部と前記拡径パイプソケット部の後端から後方へ伸ばされ内周面に内ネジ構造が形成される外輪パイプ部とが後端から順に伸ばされて、前記配管親継手部材と前記配管子継手部材との間に連接される、一つ以上の強化パイプソケットと
前記収束斜面部及び前記収束斜面に対応する外径寸法を有し内周面から内側へ突出する複数のボールによって形成されるボールリングセットが設置される収束リング、及び前記収束リングの軸方向の前側に配置され前記締り斜面部及び前記締り斜面に対応する先端構造が備える締めリングが含まれ、前記配管親継手部材と前記強化パイプソケットとの間及び前記強化パイプソケットと前記配管子継手部材との間に嵌め込まれる、二つ以上のパイプソケット部材と、が含まれ、
前記配管親継手部材と前記強化パイプソケットとの間に、前記内ネジ部が前記外ネジ構造に螺合されることにより、前記配管親継手部材の前記外輪パイプソケットが前記強化パイプソケットの前記内輪パイプ部の外に係合され、前記パイプソケット部材の前記収束リングが前記内輪パイプ部の中に入り前記収束斜面に収束され、前記パイプソケット部材の前記締めリングが前記外輪パイプソケットの中に入りその前端で前記締り斜面部を締める、
前記強化パイプソケットと前記配管子継手部材との間に、前記内ネジ部が前記外ネジ部に螺合されことにより、前記強化パイプソケットの前記外輪パイプ部が前記配管子継手部材の前記内輪パイプソケットの外に係合され、前記パイプソケット部材の前記収束リングが前記内輪パイプソケットの中に入り前記収束斜面部に収束され、前記パイプソケット部材の前記締めリングが前記外輪パイプ部の中に入りその前端で前記締り斜面を締める、
パイプ材がそれぞれの前記パイプソケット部材の前記収束リング及び前記締めリングを貫通するように伸ばされて前記強化配管継手の中に挿入される場合、前記配管親継手部材、前記強化パイプソケット及び前記配管子継手部材との間の係合により、それぞれの前記パイプソケット部材の前記収束リング及び前記ボールリングセットが前記パイプ材に対して収束固定を形成させることを特徴とする強化配管継手。
【手続補正８】
【補正対象書類名】実用新案登録請求の範囲
【補正対象項目名】請求項４
【補正方法】変更
【補正の内容】
【請求項４】
前記収束リングの外周面に外側に突出する環状凸リブが形成されて、前記環状凸リブが前記内輪パイブ部の前記収束斜面または前記内輪パイプソケットの前記収束斜面部に当接することにより、前記パイプ材に対する収束作用を強化することを特徴とする請求項１または２に記載する強化配管継手。
【手続補正９】
【補正対象書類名】実用新案登録請求の範囲
【補正対象項目名】請求項５
【補正方法】変更
【補正の内容】
【請求項５】
前記ボールリングセットの複数の前記ボールが前記収束リングの外周面から外側に突出して、前記内輪パイブ部の前記収束斜面または前記内輪パイプソケットの前記収束斜面部に直接当接することにより、前記パイプ材に対する収束作用を強化することを特徴とする請求項１または２に記載する強化配管継手。
【手続補正１０】
【補正対象書類名】実用新案登録請求の範囲
【補正対象項目名】請求項６
【補正方法】変更
【補正の内容】
【請求項６】
前記ボールリングセットの複数の前記ボールが前記収束リングの前記環状凸リブの外周面から外側に突出して、前記内輪パイブ部の前記収束斜面または前記内輪パイプソケットの前記収束斜面部に直接当接することにより、前記パイプ材に対する収束作用を強化することを特徴とする請求項４に記載する強化配管継手。
【手続補正１１】
【補正対象書類名】実用新案登録請求の範囲
【補正対象項目名】請求項８
【補正方法】変更
【補正の内容】
【請求項８】
前記配管親継手部材の前記もう一端には、順にもう一つの拡径パイプソケット及びもう一つの外輪パイプソケットが伸ばされ、パイプコネクタまたはもう一つの強化配管継手との連接に用いられることを特徴とする請求項７に記載する強化配管継手。